(57)【要約】      （修正有）【課題】輪ゴムを簡単容易に対象物に巻き付け、及び取り外し可能な輪ゴム留め具を提供する。【解決手段】輪ゴムを掛け止めて把持する把持部１と、伸ばした輪ゴムを挟持固定する係止部３からなりたっており、係止部には伸ばした輪ゴムを挟持する為の凹状断面のスリットが形成され、そのスリットは伸ばした輪ゴムが入る程度に細いスリットであり、また輪ゴムをガイドする先割れ形状をしている。加えて、係止部のスリットが係止部の側面に周回スリットとして形成されていると、より確実に輪ゴムを固定する事ができなお良い。【選択図】図１
2016199297.tif 000002
【特許請求の範囲】
【請求項１】
把持部に輪ゴムを把持し、縛る対象物に輪ゴムを伸ばしながら巻き付け、係止部に挟持固定する事により、任意の輪ゴムの長さで対象物を縛る事ができ、かつ取り外し可能な輪ゴム留め具であって、輪ゴムを掛け止めて把持する把持部と、伸ばした輪ゴムを挟持固定する係止部からなりたっており、前記、係止部には伸ばした輪ゴムを挟持する為の凹状断面のスリットが形成されている事を特徴とする、輪ゴム留め具。  
【請求項２】
請求項１に記載の係止部のスリットにおいて、伸ばした輪ゴムが入る程度に細いスリットであり、また輪ゴムをガイドする先割れ形状が形成されている事を特徴とする、輪ゴム留め具。
【請求項３】
請求項１または２に記載の係止部のスリットにおいて、スリットが係止部の側面に周回スリットとして形成されている事を特徴とする、輪ゴム留め具。
【請求項４】
請求項３に記載の係止部の周回スリットが、輪ゴムの輪を掛け止めて把持する把持部の役割と、挟持固定する係止部の役割を兼用する事を特徴とする、輪ゴム留め具。
【請求項５】
前記記載の把持部及び係止部には、模様などの装飾が施されることを特徴とする、前記請求項１、２、３、または４記載の輪ゴム留め具。
【発明の詳細な説明】
【技術分野】
【０００１】
本発明は輪ゴム留め具に関するものである。
【背景技術】
【０００２】
対象物を縛る時に、ゴムの弾性力を活用した輪ゴムは便利である。
しかしながら従来の輪ゴムだけでは
【０００３】
１、   輪ゴムの径に対して縛る対象物が小さい場合、その対象物を縛る為に、輪ゴムを引き延ばし何度もクロスさせて何重にも巻き付けなければ、縛る事が出来なかった。
【０００４】
２、   縛る対象物が長尺物である場合、長尺物の中間部で縛る為には、長尺物の一端で縛った輪ゴムを、中間部分まで移動させなければならず、時間がかかった。
【０００５】
３、   長尺物の両端が壁等に固定されている場合、輪ゴムの輪をその長尺物に通す事が出来ず縛る事が出来なかった。
【０００６】
４、   従来の輪ゴムは単なる輪であり、単色であった為、デザイン性が乏しく使い捨てにされる事があった。
などの問題点があった。
【０００７】
また、従来の技術として、
５、   止具付輪ゴム（実開平７−２２６３号公報）や結束具（登録実用新案第３１６４１１５号公報）などがあるが、どちらも結束する対象物の大きさによっては、輪ゴムを何重にも巻き付ける必要があったり、または十分な結束を得る事が出来なかった。
【０００８】
６、   結束バンド（特開平７−１７５５６号公報）は輪ゴムを掛け止めする所を複数設ける事で対象物の大きさに対応して結束できるようになっているが、その範囲は掛け止めを設けた止め具の幅の長さに限定されており、また、その止め具の形状からも郵便配達の郵便物の結束に特化していた。
【先行技術文献】
【特許文献】
【０００９】
【特許文献１】実開平７−２２６３号公報
【特許文献２】登録実用新案第３１６４１１５号公報
【特許文献３】特開平７−１７５５６号公報
【発明の概要】
【発明が解決しようとする課題】
【００１０】
本発明が解決する課題としては、上記技術背景の１〜４に記載した輪ゴムの問題点及び、５、６の先行技術の問題点を解決しながら、かつ、輪ゴムを対象物に巻き付け縛り、簡単容易に止める事、及び取り外し可能な「輪ゴム留め具」を提供する事である。
【課題を解決するための手段】
【００１１】
前記課題を解決する為の手段として、
請求項１の発明は、把持部に輪ゴムを把持し、縛る対象物に輪ゴムを伸ばしながら巻き付け、係止部に挟持固定する事により、任意の輪ゴムの長さで対象物を縛る事ができ、かつ取り外し可能な輪ゴム留め具であって、輪ゴムを掛け止めて把持する把持部と、伸ばした輪ゴムを挟持固定する係止部からなりたっており、前記、係止部には伸ばした輪ゴムを挟持する為の凹状断面のスリットが形成されている事を特徴としている。
【００１２】
請求項２の発明は、請求項１に記載の係止部のスリットにおいて、伸ばした輪ゴムが入る程度に細いスリットであり、また輪ゴムをガイドする先割れ形状が形成されている事を特徴としている。
【００１３】
請求項３の発明は、請求項１または２に記載の係止部のスリットにおいて、スリットが係止部の側面に周回スリットとして形成されている事を特徴としている。
【００１４】
請求項４の発明は、請求項３に記載の係止部の周回スリットが、輪ゴムの輪を掛け止めて把持する把持部の役割と、挟持固定する係止部の役割を兼用する事を特徴としている。
【００１５】
請求項５の発明は、前記請求項１、２、３、または４記載のものにおいて、前記記載の把持部及び係止部には、模様などの装飾が施されることを特徴としている。
【発明の効果】
【００１６】
請求項１の発明によれば、把持部に輪ゴムを掛け止めて把持し、縛る対象物に輪ゴムを伸ばしながら巻き付け、係止部に形成されたスリットに伸ばした輪ゴムの任意の部分を押し込み、そのスリットで輪ゴムを挟持固定する事ができるので、任意の輪ゴムの長さで対象物を縛る事ができ、上記技術背景１〜３、及び５,６（先行の技術）の課題を解決する事ができる。
【００１７】
請求項２の発明によれば、係止部のスリットは伸ばした輪ゴムが摩擦固定されるぐらい細いスリットであり、また輪ゴムをガイドする先割れ形状を有しているので、スリットに伸ばした輪ゴムを容易に入れる事が出来る、あるいは取り外す事ができるので、簡単容易に止める事、及び取り外し可能な「輪ゴム留め具」を提供するができる。
【００１８】
請求項３の発明によれば、係止部のスリットにおいて、スリットが係止部の側面に周回スリットとして形成されているので、伸ばした輪ゴムをその周回スリットに巻き付けることで、直線で形成されたスリットより挟持固定する摩擦力を増やす事が出来、より確実に挟持固定する事ができる「輪ゴム留め具」を提供する事ができる。
【００１９】
請求項4の発明によれば、係止部の周回スリットが、輪ゴムの輪を掛け止めて把持する把持部の役割と、挟持固定する係止部の役割を兼用するので、本発明の「輪ゴム留め具」を小型に、かつ簡単な機構にする事ができる。
【００２０】
請求項５の発明によれば、本発明の「輪ゴム留め具」には、模様などの装飾が施せるので、結束具として輪ゴムを単品で使用するより、「輪ゴム留め具」と一緒に使用した方が商品価値を高める事ができ、上記技術背景４の課題を解決できる。
【００２１】
また、バンド部分に輪ゴムを使用している事から、バンド部分が切れても、輪ゴムを交換すれば良いだけですみ、輪ゴム留め具自体は何度でも再利用できる。
【図面の簡単な説明】
【００２２】
【図１】輪ゴム留め具の斜視図
【図２】輪ゴム留め具の使用状態を示す図
【図３】（A）は輪ゴム留め具の正面図、（B）はA−A’の断面図、（C）はB−B’の断面図
【図４】係止部に周回スリットを入れた輪ゴム留め具の斜視図
【図５】（D）は係止部に周回スリットを入れた、輪ゴム留め具の正面図、（E）はC−C‘の断面図
【図６】係止部が把持部も兼用した輪ゴム留め具の斜視図
【図７】（E）は係止部が把持部も兼用した輪ゴム留め具の正面図、（F）はD−D’の断面図
【図８】図7の正面に、スリットを加えた輪ゴム留め具の使用状態を示す図
【発明を実施するための形態】
【００２３】
本発明にかかる輪ゴム留め具は、図２に示す様に、対象物に輪ゴムを巻き付けて縛る時に、巻き付けた輪ゴムを簡単容易に止める事ができ、また、はずす事ができる物であり、まず、この輪ゴム留め具の構造について説明する。
【００２４】
輪ゴム留め具は、図１に示すように輪ゴムを把持する把持部１と、伸ばした輪ゴムを挟持固定する係止部３から構成される。
【００２５】
前記把持部１は、輪ゴムの輪を掛け止めて把持する機構が設けられており、図３の様に把持部１の側面に凹状の周回スリット２が設けられ、その周回スリット２に輪ゴムの輪を掛け、引っ掛ける事で係止めを行う。
【００２６】
ここでの把持部１は輪ゴムを把持する機構であればよく、爪状やリング状、あるいは他の形のものに、輪ゴムの輪を引っ掛けて係止めしても構わない。
【００２７】
また、把持部１に穴をあけて、その穴に輪ゴムを結び付ける事で把持しても構わない。
【００２８】
前記、係止部３は図３に示す様に、伸ばした輪ゴムを挟持する為のスリット４を有しており、そのスリット４は伸ばした輪ゴムが入る程度に細いスリットである。
【００２９】
ここでのスリット４は、輪ゴムを挟持固定する事ができる機構で、図３（B）に示すように、対向する面a６と対向する面b７の間に隙間を設けたものであり、
【００３０】
伸ばした輪ゴムが容易に入れられる様に、スリット４の先は輪ゴムをガイドする先割れ形状のガイド部５となっている。
【００３１】
これにより、手で引っぱり伸ばして細くなった輪ゴムは、ガイド部５からスリットに容易に入るが、手を離し通常の状態に戻った輪ゴムは太くなるため、スリットにひっかかり、係止部３にて挟持固定を行う事ができる。
【００３２】
上記では係止部のスリットを対向面の隙間と説明したが、図３（A）正面図から見ての対向面の横幅を小さくすると、スリットが１枚の板に切れ込みを入れた様な形になるが、それでも良い。
【００３３】
また、さらに確実に挟持固定を行う為、図４及び図５で示す様に、係止部のスリットを、係止部の側面に係止部の周回スリット９として形成することにより、伸ばした輪ゴムを、その係止部の周回スリット９に巻き付け入れる事ができるので摩擦力を増し、より確実な挟持固定を行う事ができる
【００３４】
ここでの係止部の周回スリット９は、その周回の形が正円でなくとも、楕円や、四角形、その他の多角形であっても構わず、また、半周など、一周回ってない形でもよく、ようは、伸ばした輪ゴムを巻き付けられる様に形成されていれば良い。
【００３５】
また、本発明では、図６及び図７の様に係止部の周回スリット１１の中心部を、把持部の輪ゴムの輪を係止めする部分として活用する事で、把持部と係止部が一緒になったコンパクトな形での輪ゴム留め具を提供する事もできる。
【００３６】
また、係止部の正面にもスリットを設け、図８に使用例を示す様に巻き付けた輪ゴムを、さらにそのスリットに挟み固定する事でより確実に固定する事ができる。
【００３７】
また、図８での正面のスリットは一つでなくても、複数設けても良い。
【００３８】
本発明にかかる輪ゴム留め具では、係止部にて輪ゴムがしっかりと挟持固定される事が重要であり、その為の工夫として、スリットの内側に凹凸を形成したり、溝や筋を付けたり、あるいはスリットの対向する面に傾斜を付けｖ字のスリットにするなどすると、更に摩擦力を増しなお良い。
【００３９】
次に輪ゴムと、この輪ゴム留め具を使って対象物を縛る手順について説明する。
【００４０】
まず、輪ゴムの輪を図１の把持部１の周回スリット２に輪を引っかけて把持させる。次に、輪ゴムの他の場所を手で持って伸ばし、縛る対象物に巻き付け、巻き付けるのに余った輪ゴム部分を引き延ばしたまま輪ゴム留め具の係止部３のスリット４に、スリット４のガイド部５をつたい滑り込ませる。手を離すと、伸びて細くなっていたゴムが元の太さに戻ろうとするが、輪ゴムとスリット４の間に摩擦力が働き固定される事で、対象物を縛る事ができる。
【００４１】
取り外す時は、余っている輪ゴムの部分を引っ張って、スリット４のガイド部５から外せば、容易に取り外す事ができる。
【００４２】
図４のように、係止部８のスリット９が周回状に形成されている場合、係止部８にて伸ばした輪ゴムを係止部８の周回スリット９に滑り込ませ、そのまま半円、あるいは周回、スリットにそって巻き付ける事によって、強固に固定、縛る事が出来る。
【００４３】
図８に示す様に、係止部の正面にもスリットがある時は、更にそのスリットに輪ゴムを押し込む事で、より強固に固定、縛る事ができる。
【００４４】
次に、縛る対象物の大きさや、形状が特殊な場合の使用を説明する。
【００４５】
縛る対象物が小さい場合でも、本発明の係止部の機構が挟持固定なので、引き延ばした輪ゴムの任意の位置で固定する事が出来るため、対象物が小さい場合でも確実に縛る事ができる。また、輪ゴムを対象物に数回巻き付けてから、係止部にて固定してもよい。
【００４６】
縛る対象物が大きい場合でも、輪ゴムを複数つなぐ事や、長い輪ゴムを使う事によって、対応する事が出来る。
【００４７】
縛る対象物が長尺物である場合も、その長尺物の一端から輪ゴムの輪を通す必要がなく、中央部に直接巻き付けて取り付ける事ができる。
【００４８】
以上、本発明の実施例について説明したが、本発明はこの実施例に限定されることなく、本発明の範囲内で種々の実施例が可能である。
【００４９】
例えば、前記実施例では、輪ゴム留め具の実施例を、対象物を縛る場合について説明したが、輪ゴム留め具にイラストを付けたり、形状を花や葉っぱ、動物、昆虫、乗り物など、色んな物にする事が出来るので、目印のポイントとして、あるいは飾りとして、活用する事もできる。
【００５０】
また、係止部のスリットに紙等を挟む事も出来るので、メッセージカードやメモ紙などのクリップとしても活用する事ができる。
【００５１】
本発明にかかる輪ゴム留め具の素材は、プラスチック、合成樹脂、金属、木材、ガラス、石材、セラミック、紙、ゴムにより形成する事ができる。
【符号の説明】
【００５２】
１・・・・把持部
２・・・・周回スリット
３・・・・係止部
４・・・・係止部のスリット
５・・・・ガイド部
６・・・・対向する面a
７・・・・対向する面b
８・・・・周回スリットを形成した係止部
９・・・・係止部の周回スリット
１０・・・・係止部兼把持部
１１・・・・係止部兼把持部の周回スリット
・・・・・・・・・・・・・・・・・・・・・・・・・・・・・・
【図１】
2016199297.tif 000003
【図２】
2016199297.tif 000004
【図３】
2016199297.tif 000005
【図４】
2016199297.tif 000006
【図５】
2016199297.tif 000007
【図６】
2016199297.tif 000008
【図７】
2016199297.tif 000009
【図８】
2016199297.tif 000010